(57)【要約】【課題】太陽光パネルの架台への取り付けを容易に行うことができる太陽光パネルの取付金具、太陽光パネルの架台、および太陽光パネルの施工方法を提供する。【解決手段】第１太陽光パネル１Ａと当接し第１太陽光パネル１Ａを架台２に押し付けて固定する第１押し付け部５１と、第２太陽光パネル１Ｂと当接し第２太陽光パネル１Ｂを架台２に押し付けて固定する第２押し付け部５２と、第１押し付け部５１および第２押し付け部５２を連結するとともに架台２に固定される架台固定部６と、第２押し付け部５２と連続して設けられて第２太陽光パネル１Ｂを第２押し付け部５１と架台２との間にガイドするガイド部５３と、を備える。ガイド部５３は、第２押し付け部５１が第２太陽光パネル１Ｂと当接する下面（面）５１ａと連続するガイド面５３ａを有し、ガイド面５３ａは、第２押し付け部５２側よりも第２押し付け部５２側と離間する側が架台２との間隔が大きい。【選択図】図３
2015132120.tif 000002
【特許請求の範囲】
【請求項１】
隣接する第１太陽光パネルと第２太陽光パネルとの間に設けられて、前記第１太陽光パネルおよび前記第２太陽光パネルをともに架台に固定する太陽光パネルの取付金具において、
前記架台と対向する側から前記第１太陽光パネルと当接し該第１太陽光パネルを前記架台に押し付けて固定する第１押し付け部と、
前記架台と対向する側から前記第２太陽光パネルと当接し該第２太陽光パネルを前記架台に押し付けて固定する第２押し付け部と、
前記第１押し付け部および前記第２押し付け部を連結するとともに前記架台に固定される架台固定部と、
前記第２押し付け部と連続して設けられて前記第２太陽光パネルを前記第２押し付け部と前記架台との間にガイドするガイド部と、を備え、
該ガイド部は、前記第２押し付け部が前記第２太陽光パネルと当接する面と連続するガイド面を有し、該ガイド面は、前記第２押し付け部側よりも前記第２押し付け部側と離間する側が前記架台との間隔が大きいことを特徴とする太陽光パネルの取付金具。
【請求項２】
前記第２押し付け部が前記第２太陽光パネルと当接する面には、前記第２太陽光パネルを押し付け可能な凸部が形成されていることを特徴とする請求項１に記載の太陽光パネルの取付金具。
【請求項３】
前記ガイド面は、前記第２押し付け部側から前記第２押し付け部と離間する側に向かって前記架台との間隔が漸次大きくなるテーパ面であることを特徴とする請求項１又は２に記載の太陽光パネルの取付金具。
【請求項４】
前記第１太陽光パネルの端面と当接して該端面を押さえる第１押さえ部が、前記第１押し付け部と連続して設けられて、
前記第２太陽光パネルの端面と当接して該端面を押さえる第２押さえ部が、前記第２押し付け部と連続して設けられていて、
前記第１押さえ部は、前記架台と離間し、前記第２押さえ部は、前記架台と当接していることを特徴とする請求項１乃至３のいずれか１項に記載の太陽光パネルの取付金具。
【請求項５】
請求項１乃至４のいずれか１項に記載の太陽光パネルの取付金具を用いて太陽光パネルが取り付けられる太陽光パネルの架台において、
前記太陽光パネルを支持する垂木を備え、
前記垂木は、前記太陽光パネルの取付金具を固定具で固定可能であるとともに、延在方向に延びて前記固定具がスライド可能な溝部が形成されていることを特徴とする太陽光パネルの架台。
【請求項６】
前記垂木は、アルミニウムを材料として形成されていることを特徴とする請求項５に記載の太陽光パネルの架台。
【請求項７】
前記垂木を支持する梁材と、該梁材を支持する支柱とを備え、前記梁材および前記支柱はスチールを材料として形成されていることを特徴とする請求項５または６に記載の太陽光パネルの架台。
【請求項８】
請求項１乃至４のいずれか１項に記載の太陽光パネルの取付金具を用いた太陽光パネルの施工方法において、
前記第１太陽光パネルを前記架台に設置し、前記第１押し付け部で前記第１太陽光パネルを前記架台に押し付けるようにして前記太陽光パネルの取付金具を前記架台に固定した後に、前記第２太陽光パネルをスライドさせ、該第２太陽光パネルの端部を前記ガイド部と前記架台との間を通過させて前記第２押さえ部と前記架台との間に挿入し、前記第２太陽光パネルを前記第２押し付け部で前記架台に押し付けることを特徴とする太陽光パネルの施工方法。
【発明の詳細な説明】
【技術分野】
【０００１】
本発明は、太陽光パネルの取付金具、太陽光パネルの架台、および太陽光パネルの施工方法に関する。
【背景技術】
【０００２】
従来、太陽光を受けてそのエネルギーを電力に変換するための太陽光パネルを使用した太陽光発電システムが注目されている。太陽光パネルは、複数配列されて架台の上に取り付けられており、太陽光パネルの架台への取付方法としては、太陽光パネルを１枚ずつ架台に固定する方法や、隣り合う太陽光パネルの端部を併せて上側から架台に押し付けるようにして架台に固定する方法（例えば、特許文献１参照）などがある。
【先行技術文献】
【特許文献】
【０００３】
【特許文献１】特開２０１３−４７４５５号公報
【発明の概要】
【発明が解決しようとする課題】
【０００４】
このような太陽光パネルの架台への取付方法では、既に架台に固定された太陽光パネルと隣接する太陽光パネルを架台に固定する際に、既に架台に固定された太陽光パネルがあることにより、新たに架台に固定する太陽光パネルのうち、既に架台に固定された太陽光パネル側の端部に作業者が近づくことができない。このため、この端部を架台に固定する場合は、作業者が無理な姿勢で固定作業を行ったり、専用の治具を使用して固定作業を行ったりしなければならない。
また、太陽光パネルを１枚ずつ架台に固定する方法では、固定作業に時間がかかっている。
このため、太陽光パネルの架台への取り付けを容易に行うことができる太陽光パネルの取付金具、太陽光パネルの架台、および太陽光パネルの施工方法が望まれている。
【０００５】
そこで、本発明は、太陽光パネルの架台への取り付けを容易に行うことができる太陽光パネルの取付金具、太陽光パネルの架台、および太陽光パネルの施工方法を提供することを目的とする。
【課題を解決するための手段】
【０００６】
上記目的を達成するため、本発明に係る太陽光パネルの取付金具は、隣接する第１太陽光パネルと第２太陽光パネルとの間に設けられて、前記第１太陽光パネルおよび前記第２太陽光パネルをともに架台に固定する太陽光パネルの取付金具において、前記架台と対向する側から前記第１太陽光パネルと当接し該第１太陽光パネルを前記架台に押し付けて固定する第１押し付け部と、前記架台と対向する側から前記第２太陽光パネルと当接し該第２太陽光パネルを前記架台に押し付けて固定する第２押し付け部と、前記第１押し付け部および前記第２押し付け部を連結するとともに前記架台に固定される架台固定部と、前記第２押し付け部と連続して設けられて前記第２太陽光パネルを前記第２押し付け部と前記架台との間にガイドするガイド部と、を備え、該ガイド部は、前記第２押し付け部が前記第２太陽光パネルと当接する面と連続するガイド面を有し、該ガイド面は、前記第２押し付け部側よりも前記第２押し付け部側と離間する側が前記架台との間隔が大きいことを特徴とする。
【０００７】
また、本発明に係る太陽光パネルの施工方法は、上記の太陽光パネルの取付金具を用いた太陽光パネルの施工方法において、前記第１太陽光パネルを前記架台に設置し、前記第１押し付け部で前記第１太陽光パネルを前記架台に押し付けるようにして前記太陽光パネルの取付金具を前記架台に固定した後に、前記第２太陽光パネルをスライドさせ、該第２太陽光パネルの端部を前記ガイド部と前記架台との間を通過させて前記第２押さえ部と前記架台との間に挿入し、前記第２太陽光パネルを前記第２押し付け部で前記架台に押し付けることを特徴とする。
【０００８】
本発明では、第１太陽光パネルを第１押し付け部で架台に押し付けるようにして太陽光パネルの取付金具で架台に固定した後に、第２太陽光パネルをスライドさせて第２押し付け部と架台との間に挿入し、第２太陽光パネルを第２押し付け部で架台に押し付けることで、第２太陽光パネルを架台に固定することができる。そして、太陽光パネルの取付金具は、ガイド部を有することにより、スライドさせた第２太陽光パネルを第２押し付け部と架台との間にスムーズに挿入させることができる。
【０００９】
このように、第２太陽光パネルを第２押し付け部と架台との間に挿入することで、第２太陽光パネルが架台に固定されるため、第２太陽光パネルの第１太陽光パネル側の端部をボルト・ナットなどの固定具で直接固定する必要がない。これにより、従来のように、第２太陽光パネルの第１太陽光パネル側の端部に作業者が近づくことができないことによって生じる、作業者が無理な姿勢で固定作業を行ったり、専用の治具を使用して固定作業を行ったりしなければならないという問題がないため、第２太陽光パネルの取り付けを容易に行うことができる。
また、従来のように太陽光パネルを１つずつ固定具で架台に固定する場合と比べて、太陽光パネルの架台への取り付けにかかる時間を短縮することができる。
【００１０】
また、本発明に係る太陽光パネルの取付金具は、前記第２押し付け部が前記第２太陽光パネルと当接する面には、前記第２太陽光パネルを押し付け可能な凸部が形成されていることが好ましい。
このような構成とすることにより、第２太陽光パネルを架台に確実に固定することができる。特に、第２太陽光パネルが第２押し付け部と架台との間に挿入された状態において、凸部が弾性変形したり塑性変形したりすると、凸部が第２太陽光パネルと確実に当接して、第２太陽光パネルを架台に押し付けるため、第２太陽光パネルを架台により確実に固定することができる。
【００１１】
また、本発明に係る太陽光パネルの取付金具では、前記ガイド面は、前記第２押し付け部側から前記第２押し付け部と離間する側に向かって前記架台との間隔が漸次大きくなるテーパ面であることが好ましい。
このような構成とすることにより、第２太陽光パネルをガイド面に沿って移動させて、第２押し付け部と架台との間にスムーズに挿入することができる。
【００１２】
また、本発明に係る太陽光パネルの取付金具では、前記第１太陽光パネルの端面と当接して該端面を押さえる第１押さえ部が、前記第１押し付け部と連続して設けられて、前記第２太陽光パネルの端面と当接して該端面を押さえる第２押さえ部が、前記第２押し付け部と連続して設けられていて、前記第１押さえ部は、前記架台と離間し、前記第２押さえ部は、前記架台と当接していることが好ましい。
このような構成とすることにより、第１押さえ部と第２押さえ部とが第１太陽光パネルおよび第２太陽光パネルの位置決め部材となり、第１太陽光パネルおよび第２太陽光パネルを正位置に容易に設置することができる。
また、第１太陽光パネルを太陽光パネルの取付金具で固定する際には、第１押さえ部が架台と離間していることにより、第１押さえ部を介して架台から反力が第１押し付け部に伝達することがないため、第１押し付け部で第１太陽光パネルを架台へ確実に押し付けて固定することができる。
【００１３】
また、本発明に係る太陽光パネルの架台では、上記の太陽光パネルの取付金具を用いて太陽光パネルが取り付けられる太陽光パネルの架台において、前記太陽光パネルを支持する垂木を備え、前記垂木は、前記太陽光パネルの取付金具を固定具で固定可能であるとともに、延在方向に延びて前記固定具がスライド可能な溝部が形成されていることを特徴とする。
このような構成とすることにより、太陽光パネルの取付金具を固定具とともにスライドさせることによって、太陽光パネルの取付金具の位置を容易に調整することができる。
【００１４】
また、本発明に係る太陽光パネルの架台では、前記垂木は、アルミニウムを材料として形成されていることが好ましい。
このような構成とすることにより、垂木に溝部を容易に形成することができる。
【００１５】
また、本発明に係る太陽光パネルの架台は、前記垂木を支持する梁材と、該梁材を支持する支柱とを備え、前記梁材および前記支柱はスチールを材料として形成されていることが好ましい。
このような構成とすることにより、梁材および支柱の強度を確保することができる。
【発明の効果】
【００１６】
本発明によれば、第１太陽光パネルを第１押し付け部で架台に押し付けるようにして太陽光パネルの取付金具で架台に固定した後に、第２太陽光パネルをスライドさせて第２押し付け部と架台との間に挿入し、第２太陽光パネルを第２押し付け部で架台に押し付けることで、第２太陽光パネルを架台に固定することができる。そして、太陽光パネルの取付金具は、ガイド部を有することにより、スライドさせた第２太陽光パネルを第２押し付け部と架台との間にスムーズに挿入させることができる。
【００１７】
このように、第２太陽光パネルを第２押し付け部と架台との間に挿入することで、第２太陽光パネルが架台に固定されるため、第２太陽光パネルの第１太陽光パネル側の端部をボルト・ナットなどの固定具で直接固定する必要がない。これにより、従来のように、第２太陽光パネルの第１太陽光パネル側の端部に作業者が近づくことができないことによって生じる、作業者が無理な姿勢で固定作業を行ったり、専用の治具を使用して固定作業を行ったりしなければならないという問題がないため、第２太陽光パネルの取り付けを容易に行うことができる。
また、従来のように太陽光パネルを１つずつ固定具で架台に固定する場合と比べて、太陽光パネルの架台への取り付けにかかる時間を短縮することができる。
【図面の簡単な説明】
【００１８】
【図１】本発明の実施形態による太陽光パネルが取り付けられた架台の一例を示す側面図である。
【図２】図２は図１のＡ方向矢視図である。
【図３】（ａ）は太陽光パネルを架台に固定する取付金具を示す図、（ｂ）は（ａ）のＢ−Ｂ線断面図である。
【図４】（ａ）は太陽光パネルの取付金具の側面図、（ｂ）は太陽光パネルの取付金具の正面図である。
【図５】（ａ）は１段目太陽光パネルが施工された様子を示す図、（ｂ）は２段目太陽光パネルが施工された様子を示す図、（ｃ）は３段目太陽光パネルが施工された様子を示す図である。
【図６】（ａ）は第１太陽光パネルに取付金具を取り付ける様子を示す図、（ｂ）は取付金具が第１太陽光パネルを架台に固定している様子を示す図、（ｃ）は取付金具と架台との間に第２太陽光パネルを挿入する様子を示す図である。
【発明を実施するための形態】
【００１９】
（太陽光パネルの取付金具および太陽光パネルの架台）
以下、本発明の実施形態による太陽光パネルの取付金具および太陽光パネルの架台について、図１乃至図６に基づいて説明する。
図１および図２に示すように、本実施形態による太陽光パネル１，１…は、所定の厚さの平面視略長方形の板状に形成された公知のもので、架台２の上に複数配列されて、取付金具（太陽光パネルの取付金具）３，３…で架台（太陽光パネルの架台）２に固定されている。
【００２０】
本実施形態では、架台２は、地盤Ｇに支持された基礎２１（図１参照）と、基礎２１に立設する支柱２２（図１参照）と、支柱２２の上部に固定された２本の梁材２３，２３と、梁材２３，２３にそれぞれ固定された８本の垂木２４，２４…と、を備えている。
２本の梁材２３，２３は、東西方向に延在し、南北方向に所定の間隔をあけるとともに南側の梁材２３が北側の梁材２３よりも低い位置に配されている。また、８本の垂木２４，２４…は、２本の梁材２３，２３に直交する方向に延在し、東西方向に所定の間隔をあけて２本の梁材２３，２３の上側にそれぞれ固定されている。そして、これらの垂木２４，２４…は、南側の端部が北側の端部よりも低い位置となるように傾斜している。
【００２１】
基礎２１は、コンクリートを材料として形成され、支柱２２および梁材２３は、スチールを材料として形成されている。
垂木２４は、アルミニウムを材料として形成されていて、上面２４ａ（図１参照）に後述する取付金具３の固定具７がスライドする溝部（図３参照）２５が延在方向に沿って形成されている。
【００２２】
本実施形態では、１６枚の太陽光パネル１，１…が、架台２の上に梁材２３の延在方向（以下、東西方向とする）に４列、垂木２４の延在方向（以下、南北方向とする）に４段配列されている。東西方向および南北方向に隣り合う太陽光パネル１，１の間には、２０ｍｍ程の隙間（目地）が設けられている。これらの太陽光パネル１，１…は、垂木２４の傾斜に沿うように傾斜して配置されている。
そして、南北方向に隣り合う太陽光パネル１，１の間と、南北方向の両端部に配列された太陽光パネル１，１…の南北方向の端部（隣りに太陽光パネル１が配されない側の端部）に取付金具３，３…が設けられていて、これらの取付金具３，３…によって太陽光パネル１，１…が架台２の垂木２４，２４…に固定されるように構成されている。
【００２３】
図３および図４に示すように、取付金具３は、例えばアルミニウムなどを材料として形成されていて、南北方向に隣り合う２枚の太陽光パネル１，１のうち、南側に配される第１太陽光パネル１Ａを係止する第１係止部４と、北側に配される第２太陽光パネル１Ｂを係止する第２係止部５と、第１係止部４および第２係止部５と連結されて垂木２４（架台２）に固定される架台固定部６と、を備えている。
【００２４】
第１係止部４は、第１太陽光パネル１Ａの第２太陽光パネル１Ｂと対向する側（北側）の端面１ａ近傍の上面１ｂと当接して第１太陽光パネル１Ａを垂木２４へ押し付ける第１押し付け部４１と、第１太陽光パネル１Ａの北側の端面１ａと当接してこの端面１ａを押さえる第１押さえ部４２と、を有している。
第２係止部５は、第２太陽光パネル１Ｂの第１太陽光パネル１Ａと対向する側（南側）の端面１ｃ近傍の上面１ｄと当接して第２太陽光パネル１Ｂを垂木２４へ押し付ける第２押し付け部５１と、第２太陽光パネル１Ｂの南側の端面１ｃと当接してこの端面１ｃを押さえる第２押さえ部５２と、第２太陽光パネル１Ｂを垂木２４に固定する際に第２太陽光パネル１Ｂを第２押し付け部５１と垂木２４（架台２）との間にガイドするガイド部５３と、を備えている。
【００２５】
第１押し付け部４１、架台固定部６、第２押し付け部５１、ガイド部５３は、併せて平面視略長方形の板部３１となるように一体に形成されている。この板部３１は、取付金具３が第１太陽光パネル１Ａおよび第２太陽光パネル１Ｂを垂木２４に固定する際には、垂木２４の上面２４ａと平行となる向きに配されるとともに、南側から北側に向かって第１押し付け部４１、架台固定部６、第２押し付け部５１、ガイド部５３の順に配されるように構成されている。
【００２６】
第１押し付け部４１は、垂木２４の上面２４ａと対向する下面４１ａが第１太陽光パネル１Ａの北側の端面１ａ近傍の上面１ｂと当接するように構成されている。第１押し付け部４１の下面４１ａには、第１太陽光パネル１Ａを垂木２４に押し付け可能な突条（凸部）４１ｂ，４１ｂ…（図４（ａ）参照）が複数形成されている。突条４１ｂ，４１ｂ…は、東西方向に延びて、南北方向に配列されている。突条４１ｂの延在方向に直交する断面形状は、略三角形状や、略四角形状、略半円状など任意に設定されてよい。
【００２７】
第１押さえ部４２は、板部３１の東西方向の幅と略同じ幅に形成され、板部３１の下面３１ａに略垂直に突設された板状の部材で構成されている。第１押さえ部４２は、第１太陽光パネル１Ａおよび第２太陽光パネル１Ｂを垂木２４に固定する際には、その面が垂木２４の延在方向を向き、下端部（先端部）４２ａが、垂木２４の上面２４ａと離間するように構成されている。
【００２８】
第２押し付け部５１は、垂木２４の上面２４ａと対向する下面５１ａが第２太陽光パネル１Ｂの南側の端面１ｃ近傍の上面１ｄと当接するように構成されている。第２押し付け部５１の下面５１ａには、第２太陽光パネル１Ｂを垂木２４に押し付け可能な突条（凸部）５１ｂ，５１ｂ…（図４（ａ）参照）が複数形成されている。突条５１ｂ，５１ｂ…は、東西方向に延びて、南北方向に配列されている。突条５１ｂの延在方向に直交する断面形状は、略三角形状や、略四角形状、略半円状など任意に設定されてよい。また、複数の突条５１ｂ，５１ｂ…の断面が、鋸の歯のように連なっていてもよい。
【００２９】
第２押さえ部５２は、板部３１の東西方向の幅と略同じ幅に形成され、板部３１の下面３１ａに略垂直に突設された板状の部材で構成されている。第２押さえ部５２は、第１太陽光パネル１Ａおよび第２太陽光パネル１Ｂを垂木２４に固定する際には、その面が垂木２４の延在方向を向き、下端部（先端部）５２ａが、垂木２４の上面２４ａと当接するように構成されている。
第１押さえ部４２と第２押さえ部５２とは、南北方向に所定の間隔をあけて平行に配置されている。そして、第１押さえ部４２および第２押さえ部５２の互いに対向する面の反対側の面が、第１太陽光パネル１Ａの北側の端面１ａ、第２太陽光パネル１Ｂの南側の端面１ｃを当接して押さえる押さえ面４２ｂ，５２ｂを構成している。
【００３０】
ガイド部５３は、下面５３ａが第２押し付け部５１の下面５１ａと連続していて、このガイド部５３の下面５３ａが、第２太陽光パネル１Ｂを第２押し付け部５１と垂木２４（架台２）との間にガイドするためのガイド面（以下ガイド面５３ａとする）を構成している。
ガイド面５３ａは、第２押し付け部５１側（南側）から第２押し付け部５１と離間する側（北側）に向かって垂木２４の上面２４ａとの間隔が漸次大きくなるテーパ面に形成されている。
【００３１】
架台固定部６には、取付金具３を垂木２４に固定するための固定具７のボルト７１が挿通可能なボルト孔６１が形成されている。
図３に示すように、固定具７は、ボルト７１と、ナット７２と、座金７３とを有し、ボルト７１の頭部７１ａおよび座金７３が垂木２４の溝部２５をスライド可能に構成されている。
ボルト７１は、頭部７１ａが下側となり、このボルト７１の頭部７１ａの上に座金７３が配されている。
【００３２】
そして、垂木２４の溝部２５には、ボルト７１の頭部７１ａがスライドする部分と、座金７３がスライドする部分とが形成されている。この溝部２５の上端部２５ａは、座金７３の外径よりも小さくボルト７１のネジ部７１ｂの外径よりやや大きい幅に開口されていて、溝部２５に挿入されたボルト７１の頭部７１ａおよび座金７３が、溝部２５の上方に移動できないように構成されている。
このため、溝部２５にボルト７１の頭部７１ａと座金７３を挿入するには、垂木２４の延在方向の端部２４ｂ（図１参照）からボルト７１の頭部７１ａおよび座金７３を溝部２５に挿入する。
なお、本実施形態では、垂木２４の下面２４ｃにも溝部２５が形成されている。
【００３３】
（太陽光パネルの施工方法）
続いて、太陽光パネルの施工方法について説明する。
まず、図５（ａ）に示すように、太陽光パネル１，１…のうち一番南側に配列される１段目太陽光パネル１１，１１…を垂木２４，２４…の上部に配置し、これらの１段目太陽光パネル１１，１１…を取付金具３，３…で垂木２４，２４…に固定する。
本実施形態では、１枚の太陽光パネル１を、隣り合う２本の垂木２４，２４の上に設置し、この太陽光パネル１の南側の端部および北側の端部を、それぞれ垂木２４，２４に固定する。このため、１枚の太陽光パネル１につき、４か所を取付金具３で垂木２４，２４に固定する。
【００３４】
まず、１段目太陽光パネル１１の南側の端部を取付金具３で垂木２４に固定する。
このとき、取付金具３を、図３および図４に示す向きとは逆の、第１係止部４が第２係止部５よりも北側となる向きにして、固定具７とともに１段目太陽光パネル１１の南側に配置する。
そして、第１押し付け部４１の下面４１ａと１段目太陽光パネル１１の南側の端面１ｃ近傍の上面１ｄとを当接させ、第１押さえ部４２の押さえ面４２ｂと１段目太陽光パネル１１の南側の端面１ｃとを当接させる。また、第２押さえ部５２の下端部５２ａを垂木２４の上面２４ａと当接させる。
この状態で、ボルト７１にナット７２を締結し、第１押し付け部４１で１段目太陽光パネル１１を垂木２４に押し付けて固定する。
このとき、第１押し付け部４１の突条４１ｂ，４１ｂ…（図４（ａ）参照）が１段目太陽光パネル１１を垂木２４に押し付けることになり、突条４１ｂの先端部が弾性変形または塑性変形して１段目太陽光パネル１１の上面と確実に当接する。
【００３５】
続いて、１段目太陽光パネル１１の北側の端部を取付金具３で固定する。
ここでは、１段目太陽光パネル１１は、上述した第１太陽光パネル１Ａに対応するため、１段目太陽光パネル１１を第１太陽光パネル１Ａとして説明する。
このとき、取付金具３を、図３および図４に示すように、第１係止部４が第２係止部５よりも南側となる向きにして、図６（ａ）に示すように、固定具７とともに溝部２５をスライドさせ、第１太陽光パネル１Ａの北側に配置する。
そして、図６（ｂ）に示すように、第１押し付け部４１の下面４１ａと第１太陽光パネル１Ａの北側の端面１ａ近傍の上面１ｂとを当接させ、第１押さえ部４２の押さえ面４２ｂと第１太陽光パネル１Ａの北側の端面１ａとを当接させる。この状態で、ボルト７１にナット７２を締結し、第１押し付け部４１で第１太陽光パネル１Ａを垂木２４に押し付けて固定する。
このとき、第１押し付け部４１の突条４１ｂ，４１ｂ…が第１太陽光パネル１Ａを垂木２４に押し付けることになり、突条４１ｂの先端部が弾性変形または塑性変形して第１太陽光パネル１Ａの上面１ｂと確実に当接する
なお、取付金具３を垂木２４に固定する作業者は、隣り合う垂木２４の間に入ることができるため、第１太陽光パネル１Ａの北側の端面１ａに近づいて作業することができる。
【００３６】
次に、図５（ｂ）に示すように、太陽光パネル１，１…のうち既に垂木２４，２４…に固定された１段目太陽光パネル１１，１１…の北側に隣接する２段目太陽光パネル１２，１２…を垂木２４の上部に配置し、これらの２段目太陽光パネル１２，１２…を取付金具３，３…で垂木２４，２４…に固定する。
ここでは、既に垂木２４に固定された１段目太陽光パネル１１が上述した第１太陽光パネル１Ａと対応し、これから固定される２段目太陽光パネル１２が上述した第２太陽光パネル１Ｂと対応するため、１段目太陽光パネル１１を第１太陽光パネル１Ａとし、この２段目太陽光パネル１２を第２太陽光パネル１Ｂとして、２段目太陽光パネル１２，１２の施工方法を説明する。
【００３７】
まず、図６（ｃ）に示すように、第２太陽光パネル１Ｂを第１太陽光パネル１Ａの北側から垂木２４に沿ってスライドさせ、既に第１太陽光パネル１Ａを垂木２４に固定している取付金具３の第２押し付け部５１と垂木２４との間に、第２太陽光パネル１Ｂの南側の端面１ｃ近傍の部分を挿入する。
このとき、第２太陽光パネル１Ｂの南側の端面１ｃ近傍の部分を、ガイド部５３と垂木２４の上面２４ａとの間に挿入し、第２太陽光パネル１Ｂの南側の端面１ｃ近傍の部分をガイド面５３ａに沿わせて第２押し付け部５１と垂木２４との間に挿入する。そして、第２太陽光パネル１Ｂの南側の端面１ｃと第２押さえ部５２の押さえ面５２ｂとを当接させる。
【００３８】
また、第２太陽光パネル１Ｂの南側の端面１ｃ近傍の上面１ｄと、第２押し付け部５１の突条５１ｂ，５１ｂ…（図４（ａ）参照）とが干渉し、突条５１ｂ，５１ｂ…を弾性変形または塑性変形させて潰すようにして第２太陽光パネル１Ｂが第２押し付け部５１と垂木２４との間に挿入する。これにより、第２太陽光パネル１Ｂが第２押し付け部５１と確実に当接し、第２押し付け部５１によって第２太陽光パネル１Ｂが垂木２４に押し付けられることになる。
【００３９】
続いて、第１太陽光パネル１Ａの北側の端部を取付金具３で垂木２４へ固定したときと同様に、第２太陽光パネル１Ｂの北側の端部を取付金具３で垂木２４へ固定する。
【００４０】
次に、図５（ｃ）に示すように、太陽光パネル１，１…のうち既に垂木２４に固定された２段目太陽光パネル１２，１２の北側に隣接する３段目太陽光パネル１３，１３…を垂木２４の上部に配置し、これらの２段目太陽光パネル１２，１２…を取付金具３，３…で垂木２４，２４…に固定する。この場合は、既に固定された２段目太陽光パネル１２，１２が第１太陽光パネル１Ａと対応し、３段目太陽光パネル１３，１３が第２太陽光パネルと対応する。そして、上述した２段目太陽光パネル１２，１２の垂木２４への固定と同様に、３段目太陽光パネル１３，１３を垂木２４へ固定する。
【００４１】
次に、３段目太陽光パネル１３，１３と同様にして、３段目太陽光パネル１３，１３の北側に隣接する４段目太陽光パネル１４，１４（図２参照）を垂木２４に固定する。
なお、４段目太陽光パネル１４，１４…の北側の端面１ａ近傍の上面１ｂには、第１押し付け部４１の下面４１ａが当接し、端面１ａに第１押さえ部４２の押さえ面４２ｂが当接するように取付金具３を設置する。
【００４２】
次に、上述した太陽光パネルの取付金具および太陽光パネルの架台の作用・効果について図面を用いて説明する。
本実施形態による太陽光パネル１の取付金具３によれば、第１太陽光パネル１Ａを第１押し付け部４１で垂木２４に押し付けるようにして取付金具３で垂木２４に固定した後に、第２太陽光パネル１Ｂをスライドさせて第２押し付け部５１と垂木２４との間に挿入し、第２太陽光パネル１Ｂを第２押し付け部５１で垂木２４に押し付けることで、第２太陽光パネル１Ｂを垂木２４に固定することができる。そして、取付金具３は、ガイド部５３を有することにより、スライドさせた第２太陽光パネル１Ｂを第２押し付け部５１と垂木２４との間にスムーズに挿入することができる。
【００４３】
このように、第２太陽光パネル１Ｂは、第２押し付け部５１と垂木２４との間に挿入することで垂木２４に固定されるため、第２太陽光パネル１Ｂの第１太陽光パネル１Ａ側（南側）の端部をボルト・ナットなどの固定具で直接固定する必要がない。これにより、従来のように、第２太陽光パネル１Ｂの南側の端部に作業者が近づくことができないことによって生じる、作業者が無理な姿勢で固定作業を行ったり、専用の治具を使用して固定作業を行ったりしなければならないという問題がないため、第２太陽光パネル１Ｂの取り付けを容易に行うことができる。
また、従来のように太陽光パネル１，１…を１つずつ固定具で垂木２４に固定する場合と比べて、太陽光パネル１，１…の垂木２４への取り付けにかかる時間を短縮することができる。
【００４４】
また、第１押し付け部４１の下面４１ａおよび第２押し付け部５１の下面５１ａには、突条４１ｂ，５１ｂが形成されていることがにより、第１太陽光パネル１Ａおよび第２太陽光パネル１Ｂを垂木２４に確実に固定することができる。
特に、突条４１ｂ，５１ｂが第１太陽光パネル１Ａおよび第２太陽光パネル１Ｂを押し付けることによって弾性変形したり塑性変形したりすると、突条４１ｂ，５１ｂが第１太陽光パネル１Ａおよび第２太陽光パネル１Ｂと確実に当接するため、第１太陽光パネル１Ａおよび第２太陽光パネル１Ｂを垂木２４により確実に固定することができる。
【００４５】
また、ガイド面５３ａは、第２押し付け部５１側から第２押し付け部５１と離間する側に向かって垂木２４との間隔が漸次大きくなるテーパ面であることにより、第２太陽光パネル１Ｂをガイド面５３ａに沿って移動させて第２押し付け部５１と垂木２４との間にスムーズに挿入することができる。
【００４６】
また、第１押さえ部４２と第２押さえ部５２とが第１太陽光パネル１Ａおよび第２太陽光パネル１Ｂの位置決め部材となり、第１太陽光パネル１Ａおよび第２太陽光パネル１Ｂを正位置に容易に設置することができる。特に、第１押さえ部４２の押さえ面４２ｂと
第２押さえ部５２の押さえ面５２ｂとの間隔を調整することで、第１太陽光パネル１Ａと第２太陽光パネル１Ｂとの間隔を調整することができる。
また、第１太陽光パネル１Ａを取付金具３で固定する際には、第１押さえ部４２が垂木２４と離間していることにより、第１押さえ部４２を介して垂木２４から反力が第１押し付け部４１に伝達することがないため、第１押し付け部４１で第１太陽光パネル１Ａを垂木２４へ確実に押し付けて固定することができる。
【００４７】
また、垂木２４は、取付金具３を固定具７で固定可能であるとともに、延在方向に延びて固定具７がスライド可能な溝部２５が形成されていることにより、取付金具３を固定具７とともにスライドさせることによって、取付金具３の位置を容易に調整することができる。
また、垂木２４は、アルミニウムを材料として形成されていることにより、垂木２４に溝部２５を容易に形成することができる。
また、梁材２３および支柱２２は、スチールを材料として形成されていることにより、梁材２３および支柱２２の強度を確保することができる。
【００４８】
以上、本発明による太陽光パネルの取付金具、太陽光パネルの架台、および太陽光パネルの施工方法の実施形態について説明したが、本発明は上記の実施形態に限定されるものではなく、その趣旨を逸脱しない範囲で適宜変更可能である。
例えば、上記の実施形態では、地盤Ｇに支持された架台２に太陽光パネル１，１…が固定されているが、建物の屋根などに支持された架台２に太陽光パネル１，１…が固定されていてもよく、架台２の構造や架台２を構成する部材（基礎２１、支柱２２、梁材２３、垂木２４など）の形態や数、また、架台２を構成する部材を形成する材料などは、適宜設定されてよい。また、太陽光パネル１，１…の配列や数、設置される向きや傾斜角度、隣り合う太陽光パネル１，１の隙間の寸法、太陽光パネル１を固定する取付金具３の取付位置や数などは、適宜設定されてよい。
【００４９】
また、上記の実施形態では、取付金具３は、垂木２４の溝部２５をスライド可能に構成されているが、垂木２４に溝部２５に代わってボルト孔が形成されていて、このボルト孔に固定具７のボルト７１を挿通させてナット７２で締結し、取付金具３を垂木２４に固定する構成としてもよい。
【００５０】
また、上記の実施形態では、第１押し付け部４１および第２押し付け部５１の下面４１ａ，５１ａには、突条４１ｂ，５１ｂが形成されているが、突条４１ｂ，５１ｂが形成されていなくてもよい。また、第１押し付け部４１および第２押し付け部５１のいずれかの下面に突条４１ｂ，５１ｂが形成されていてもよい。
また、上記の実施形態では、第１押し付け部４１および第２押し付け部５１の下面４１ａ，５１ａに垂木２４の延在方向に延びる突条４１ｂ，５１ｂが形成されているが、突条４１ｂ，５１ｂ延在する方向は、任意に設定されてよく、突条４１ｂ，５１ｂに代わって所定の方向に延在しない凸部が形成されていてもよい。
【００５１】
また、上記の実施形態では、ガイド面５３ａはテーパ面に形成されているが、第２押し付け部５１側よりも第２押し付け部５１側と離間する側が架台２との間隔が大きければ、曲面や段差が連なった段差面などに形成されていてもよい。
また、第１押さえ部４２および第２押さえ部５２の形状は、任意に設定されてよい。
【符号の説明】
【００５２】
１  太陽光パネル
１Ａ  第１太陽光パネル
１Ｂ  第２太陽光パネル
２  架台（太陽光パネルの架台）
３  取付金具（太陽光パネルの取付金具）
４  第１係止部
５  第２係止部
６  架台固定部
７  固定具
２３  梁材
２４  垂木
２４ａ  上面
２５  溝部
４１  第１押し付け部
４２  第１押さえ部
５１  第２押し付け部
５２  第２押さえ部
５３  ガイド部
５３ａ  ガイド面
【図１】
2015132120.tif 000003
【図２】
2015132120.tif 000004
【図３】
2015132120.tif 000005
【図４】
2015132120.tif 000006
【図５】
2015132120.tif 000007
【図６】
2015132120.tif 000008